(57)【要約】【課題】  ＶＨＦ局部発振器から出力される高調波がＵＨＦ回路部を経由して不要輻射されないようにする。【解決手段】  第１の高周波回路部２、第２の高周波回路部３と、第１のミキサと５第２のミキサ６とを内部に構成すると共に、第１のミキサ５に結合された第１の入力端子４ａと第２のミキサ６に結合された第２の入力端子４ｂとを互いに隣接して設けた集積回路４とを備え、第１の高周波回路部２を第１の入力端子４ａに結合すると共に、第２の高周波回路部３をスイッチダイオード１０を介して第２の入力端子４ａに結合し、ＶＨＦ帯のテレビジョン信号を受信するときにはスイッチダイオード１０をオフにし、ＵＨＦ帯のテレビジョン信号を受信するとき、スイッチダイオード１０をオンにした。【選択図】        図１
0003106226.tif 000002
【実用新案登録請求の範囲】
【請求項１】
ＶＨＦ帯のテレビジョン信号を受信する第１の高周波回路部と、ＵＨＦ帯のテレビジョン信号を受信する第２の高周波回路部と、第１のミキサと第２のミキサとを内部に構成すると共に、前記第１のミキサの入力端に結合された第１の入力端子と前記第２のミキサの入力端に結合された第２の入力端子とを互いに隣接して設けた集積回路とを備え、前記第１の高周波回路部を前記第１の入力端子に結合すると共に、前記第２の高周波回路部をスイッチダイオードを介して前記第２の入力端子に結合し、前記ＶＨＦ帯のテレビジョン信号を受信するときには前記スイッチダイオードをオフにし、前記ＵＨＦ帯のテレビジョン信号を受信するとき、前記スイッチダイオードをオンにしたことを特徴とするテレビジョンチューナ。
【請求項２】
前記第２のミキサをバランスミキサで構成すると共に、前記集積回路には一対の前記第２の入力端子を設け、前記第２の高周波回路部の出力端とグランドとの間にインダクタンス素子と容量素子との直列回路からなる不平衡−平衡変換回路を接続して前記第２の高周波回路部の出力端を前記スイッチダイオードを介して前記第１の入力端子に近い方の一方の第２の入力端子に結合すると共に、前記インダクタンス素子と前記容量素子との接続を他方の第２の入力端子に結合し、前記集積回路内にはベース同士が相互に接続され、共にオン／オフ制御される第１のトランジスタと第２のトランジスタとを設け、前記第１のトランジスタのコレクタを電源にプルアップし、エミッタを第１の抵抗を介して前記他方の第２の入力端子に接続すると共に高抵抗で接地し、前記第２のトランジスタのエミッタを接地し、コレクタを第２の抵抗を介してすると共に、高抵抗を介して前記電源にプルアップしたことを特徴とする請求項１に記載のテレビジョンチューナ。
【請求項３】
オン時の前記スイッチダイオードに流す電流を０．５ｍＡ以下、０．０１ｍＡ以上としたことを特徴とする請求項１又は２に記載のテレビジョンチューナ。
【考案の詳細な説明】
【技術分野】
【０００１】
本考案はテレビジョンチューナに関する。
【背景技術】
【０００２】
図３に示すようにチューナは、ＵＨＦ回路部５３、ＶＨＦ回路部５４、集積回路５５、ＰＬＬ５６、フィルタ５７、ＵＨＦ共振回路５８、ＶＨＦ共振回路５９から構成されている。ＵＨＦ回路部５３は、アンテナ５１が接続された入力端子５２から順にＵＨＦ用アンテナ回路６０、ＵＨＦ用高周波増幅回路６１、ＵＨＦ同調回路６２が接続される。ＶＨＦ回路部５４は、入力端子５２から順にＶＨＦ用アンテナ回路６３、ＶＨＦ用高周波増幅回路６４、ＶＨＦ用同調回路６５が接続される。
【０００３】
集積回路５５は、ＵＨＦ混合器６６、ＶＨＦ混合器６７、ＵＨＦ局部発振器６８、ＶＨＦ局部発振器６９、局部発振器切替器７０、バンド切替器７１、中間周波増幅器７２とを有している。
【０００４】
ＵＨＦ混合器６６の一方の入力端は、ＵＨＦ回路部５３の出力端に接続され、他方の入力端は、ＵＨＦ局部発振器６８に接続される。ＵＨＦ混合回路６６から出力された中間周波信号をバンド切替器７１へ出力する。ＶＨＦ混合器６７の一方の入力端はＶＨＦ回路部５４の出力端に接続され、他方の入力端は、ＶＨＦ局部発振器６９に接続される。ＶＨＦ混合回路６７から出力された中間周波信号あおバンド切替器７１へ出力する。
【０００５】
中間周波信号は、バンド切替器７１を通過してフィルタ５７へ入力される。フィルタ５７は、急峻な特性を持つバンドパスフィルタであって、その出力端は集積回路５５内の中間周波増幅器７２の入力端と接続されている。中間周波増幅器７２の出力端はチューナの出力端子７３を構成している。
【０００６】
ＰＬＬ５６は、ＵＨＦバンドを選択するＵＨＦバンド切替電圧Ｖｕと選局されたチャンネルに対応した同調電圧ＶｔとをＵＨＦ回路部５３へ印加し、ＶＨＦのハイバンドを選択するＶＨＦハイバンド切替電圧ＶｈｉとＶＨＦのローバンドを選択するＶＨＦローバンド切替電圧Ｖｌｏと同調電圧ＶｔとをＶＨＦ回路部５４へ印加し、ＶＨＦハイバンド切替電圧ＶｈｉとＶＨＦローバンド切替電圧ＶｌｏとをＶＨＦ共振回路５９へ印加する。また、ＰＬＬ５６は集積回路５５内の局部発振器切替器７０とバンド切替器７１とに制御電圧を印加する。また、ＰＬＬ５６には局部発振器切替器７０を介して、ＵＨＦ局部発振器６８またはＶＨＦ局部発振器６９から発振信号が入力され、その発振信号の周波数に応じてＵＨＦ共振回路５８及びＶＨＦ共振回路５９に制御電圧を印加し、ＵＨＦ局部発振器６８とＶＨＦ局部発振器６９との発振周波数を調整する（例えば、特許文献１参照。）。
【０００７】
【特許文献１】特開２０００−２９６５３９（図３）
【考案の開示】
【考案が解決しようとする課題】
【０００８】
２つの混合器の入力端子は集積回路に互いに近く隣接して設けられるので、入力端子間の浮遊容量が無視できず、ＶＨＦバンドの受信時には、ＶＨＦ局部発振器からの発振信号の高調波（特に第２の周波数帯に入る高調波）がＶＨＦ混合器の入力端子からＵＨＦ混合器の入力端子に漏洩し、さらに、不動作状態のＵＨＦ回路部を逆方向伝達してアンテナから不要輻射されるという問題がある。
【０００９】
本考案では、ＶＨＦ局部発振器から出力される高調波がＵＨＦ回路部を経由して不要輻射されないようにすることを目的とする。
【課題を解決するための手段】
【００１０】
上記課題を解決するために、ＶＨＦ帯のテレビジョン信号を受信する第１の高周波回路部と、ＵＨＦ帯のテレビジョン信号を受信する第２の高周波回路部と、第１のミキサと第２のミキサとを内部に構成すると共に、前記第１のミキサの入力端に結合された第１の入力端子と前記第２のミキサの入力端に結合された第２の入力端子とを互いに隣接して設けた集積回路とを備え、前記第１の高周波回路部を前記第１の入力端子に結合すると共に、前記第２の高周波回路部をスイッチダイオードを介して前記第２の入力端子に結合し、前記ＶＨＦ帯のテレビジョン信号を受信するときには前記スイッチダイオードをオフにし、前記ＵＨＦ帯のテレビジョン信号を受信するとき、前記スイッチダイオードをオンにした。
【００１１】
また、前記第２のミキサをバランスミキサで構成すると共に、前記集積回路には一対の前記第２の入力端子を設け、前記第２の高周波回路部の出力端とグランドとの間にインダクタンス素子と容量素子との直列回路からなる不平衡−平衡変換回路を接続して前記第２の高周波回路部の出力端を前記スイッチダイオードを介して前記第１の入力端子に近い方の一方の第２の入力端子に結合すると共に、前記インダクタンス素子と前記容量素子との接続を他方の第２の入力端子に結合し、前記集積回路内にはベース同士が相互に接続され、共にオン／オフ制御される第１のトランジスタと第２のトランジスタとを設け、前記第１のトランジスタのコレクタを電源にプルアップし、エミッタを第１の抵抗を介して前記他方の第２の入力端子に接続すると共に高抵抗で接地し、前記第２のトランジスタのエミッタを接地し、コレクタを第２の抵抗を介してすると共に、高抵抗を介して前記電源にプルアップした。
【００１２】
また、オン時の前記スイッチダイオードに流す電流を０．５ｍＡ以下、０．０１ｍＡ以上とした。
【考案の効果】
【００１３】
請求項１の考案によれば、第１の高周波回路部を第１の入力端子に結合すると共に、第２の高周波回路部をスイッチダイオードを介して第２の入力端子に結合し、ＶＨＦ帯のテレビジョン信号を受信するときにはスイッチダイオードをオフにし、ＵＨＦ帯のテレビジョン信号を受信するとき、スイッチダイオードをオンにしたので、ＶＨＦ帯のテレビジョン信号を受信するときには、第１の発振器からの高調波が第１のミキサ、第１の入力端子、第２の入力端子を経由してスイッチダイオードに到達しても、ここで阻止されるのでに、第２の高周波回路部を逆方向に伝達されることはない。
【００１４】
また、請求項２の考案によれば、前記第２のミキサをバランスミキサで構成すし、第２の高周波回路部の出力端に不平衡−平衡変換回路を接続して第２の高周波回路部の出力端をスイッチダイオードを介して一方の第２の入力端子に結合すると共に、インダクタンス素子と容量素子との接続を他方の第２の入力端子に結合し、集積回路内にはベース同士が相互に接続され、共にオン／オフ制御される第１のトランジスタと第２のトランジスタとを設け、第１のトランジスタのコレクタを電源にプルアップし、エミッタを第１の抵抗を介して他方の第２の入力端子に接続すると共に高抵抗で接地し、第２のトランジスタのエミッタを接地し、コレクタを第２の抵抗を介してすると共に、高抵抗を介して電源にプルアップしたので、スイッチダイオードをオフにするときには十分なバックバイアス電圧を印加し、オンにするときの順方向の電流を第１及び第２の抵抗によって容易に設定できる。
【００１５】
また、請求項３の考案によれば、オン時のスイッチダイオードに流す電流を０．５ｍＡ以下、０．０１ｍＡ以上としたので、不平衡−平衡変換回路による周波数特性を平坦化できる。
【考案を実施するための最良の形態】
【００１６】
図１に本考案に係るテレビジョンチューナの構成を示す。入力端１にはＶＨＦ帯のテレビジョン信号を受信する第１の高周波回路部２と、ＵＨＦ帯のテレビジョン信号を受信する第２の高周波回路部３とが接続される。
【００１７】
第１の高周波回路部２は、初段の入力同調回路２ａと、その次段に接続された高周波増幅器２ｂと、その次段に接続された段間同調回路２ｃとを有する。また、第２の高周波回路部３も、初段の入力同調回路３ａとその次段に接続された高周波増幅器３ｂと、その次段に接続された段間同調回路３ｃとを有する。上記の各回路は不平衡回路として構成される。
【００１８】
集積回路４内には、ＶＨＦ帯のテレビジョン信号を中間周波信号に変換する第１のミキサ５と、ＵＨＦ帯のテレビジョン信号を中間周波信号に変換する第二のミキサ６とが構成される。第２のミキサ６はバランスミキサとして構成される。これら２つのミキサ５、６には、集積回路４内に構成された、それぞれ対応する第１の発振器７及び第２の発振器８から局部発振信号が供給される。また、集積回路４には第１のミキサ５の入力端に結合された第１の入力端子４ａと、第２のミキサ６に結合された一対の第２の入力端子４ｂ、４ｃとが設けられる。一方の第２の入力端子４ｂは第１の入力端子４ａに隣接する。
【００１９】
第２の高周波回路部３における段間同調回路３ｃの出力端とグランドとの間には不平衡−平衡変換回路９が接続される。不平衡−平衡変換回路９は、インダクタンス素子９ａと容量素子９ｂとの直列回路で構成され、インダクタンス素子９ａが段間同調回路３ｃ側に、容量素子９ｂが接地側に配置される。
【００２０】
そして、第１の高周波回路部２における段間同調回路２ｃの出力端が第１の入力端子４ａに結合される。また、第２の高周波回路部３における段間同調回路３ｃの出力端がスイッチダイオード１０を介して一方の第２の入力端子４ｂに結合され、インダクタンス素子９ａと容量素子９ｂとの接続点が他方の第２の入力端子４ｃに結合される。
【００２１】
スイッチダイオード１０は集積回路４ないに構成された切替回路１１によってオン／オフが制御される。切替回路１１はベース同士が互いに接続された第１のトランジスタ１１ａ及び第２のトランジスタ１１ｂ等を有し、第１のトランジスタ１１ａのコレクタは、集積回路４に設けられた電源端子４ｄにプルアップされ、エミッタは第１の抵抗１１ｃを介して他方の第２の入力端子４ｃに接続されると共に、第１の高抵抗１１ｄによってグランドに接続される。
【００２２】
また、第２のトランジスタ１１ｂのエミッタは接地され、コレクタは第２の抵抗１１ｅによって一方の第２の入力端４ｂに接続されると共に、第２の高抵抗１１ｆによって電源端子４ｄにプルアップされる。第１のトランジスタ１１ａと第２のトランジスタ１１ｂとのベースには、集積回路４内に構成されているバンドデコーダ（図示せず）からこれらをオン／オフするための切替電圧が供給される。
【００２３】
以上の構成において、ＶＨＦ帯のテレビジョン信号を受信するときは、第１の高周波回路部２が動作状態とされ、第２の高周波回路部３が非動作状態とされる。また、第１及び第２のトランジスタ１１ａ、１１ｂはオフされる。この状態では、スイッチダイオード１０は、第２の高抵抗１１ｆ、第２の抵抗１１ｅ、インダクタンス素子９ａ、第１の抵抗１１ｃ、第１の高抵抗１１ｄによってバックバイアスされるのでオフとなる。そして、第１の発振器７からの高調波が第１のミキサ５、第１の入力端子４ａ、第２の入力端子４ｂを経由してスイッチダイオード１０に到達しても、ここで阻止されるのでに、第２の高周波回路部３を逆方向に伝達されることはない。
【００２４】
一方、ＵＨＦ帯のテレビジョン信号を受信するときには第１の高周波回路部２が非動作状態とされ、第２の高周波回路部３が動作状態とされる。また、第１及び第２のトランジスタ１１ａ、１１ｂはオンされる。この状態では、スイッチダイオード１０には、第１のトランジスタ１１ａ、第１の抵抗１１ｃ、インダクタンス素子９ａ、第２の抵抗１１ｅ、第２のトランジスタ１１ｂを介して順方向の電流が流れてオンする。
【００２５】
第２の高周波回路部３における段間同調回路３の出力端は不平衡であるが不平衡−平衡変換回路９の直列共振周波数はテレビジョン信号よりも低いので、インダクタンス素子９ａと容量素子９ｂとの接続点には逆位相のテレビジョン信号が現れるので、２つの第２の入力端子４ｂ、４ｃ間には平衡のテレビジョン信号が出力される。
【００２６】
第２の入力端子４ｂ、４ｃ間に現れる平衡のテレビジョン信号の周波数特性は、不平衡−平衡変換回路９の特性に依存して周波数が低くなるほど大きくなるが、不平衡−平衡変換回路９の共振のＱをオン時のスイッチダイオード１０の等価抵抗によってダンピングすることによって周波数特性を平坦化することができる。
【００２７】
図２は、一般的なスイッチダイオードの、順方向電流による等価抵抗の変化特性を示したものであり、１ｍＡではおよそ１Ω、０．１ｍＡでおよそ１０Ω、０．０１ｍＡでおよそ１００Ωである。Ｑダンプするためには数Ω〜数１０Ωの抵抗値が必要である。そこで、スイッチダイオード１０に流れる電流を第１の抵抗１１ｃと第２の抵抗１１ｅによって０．０１ｍＡ〜０．５ｍＡ程度となるように設定すれば、スイッチダイオード１０によって平衡信号の周波数特性をほぼ平坦化することができる。
【図面の簡単な説明】
【００２８】
【図１】本考案のテレビジョンチューナの構成を示す回路図である。
【図２】本考案のテレビジョンチューナに使用するスイッチダイオードの等価抵抗特性図である。
【図３】従来のテレビジョンチューナの構成を示す回路図である。
【符号の説明】
【００２９】
１：入力端
２：第１の高周波回路部
２ａ：入力同調回路
２ｂ：高周波増幅器
２ｃ：段間同調回路
３：第２の高周波回路部
３ａ：入力同調回路
３ｂ：高周波増幅器
３ｃ：段間同調回路
４：集積回路
４ａ：第１の入力端子
４ｂ、４ｃ：第２の入力端子
４ｄ：電源端子
５：第１のミキサ
６：第２のミキサ
７：第１の発振器
８：第２の発振器
９：不平衡−平衡変換回路
９ａ：インダクタンス素子
９ｂ：容量素子
１０：スイッチダイオード
１１：切替回路
１１ａ：第１のトランジスタ
１１ｂ：第２のトランジスタ
１１ｃ：第１の抵抗
１１ｄ：第１の高抵抗
１１ｅ：第２の抵抗
１１ｆ：第２の高抵抗
【図１】
0003106226.tif 000003
【図２】
0003106226.tif 000004
【図３】
0003106226.tif 000005